(57)【特許請求の範囲】
【請求項１】
被加熱容器と、その下方側に配置される誘導コイルとを本体容器に収容してある誘導加熱器であって、前記本体容器の底部分を、合成樹脂製の内側ケース部と、その外面側に重ねて配置される金属板製の外側ケース部とから成る複合材によって形成してある誘導加熱器であって、前記内側ケース部を、部分的に前記外側ケース部を越えて下方突出させることで本体容器載置用の脚部を形成してある誘導加熱器。
【請求項２】
平面視において前記脚部に対応した上方部位には、前記誘導コイルが配置されていない請求項１に記載の誘導加熱器。
【発明の詳細な説明】
【０００１】
【発明の属する技術分野】
本発明は、炊飯器や電気ポット等の電磁誘導コイルを有した誘導加熱器に係り、詳しくは、被加熱容器と、その下方側に配置される誘導コイルとを本体容器に収容してある誘導加熱器に関するものである。
【０００２】
【従来の技術】
例えば、誘導加熱器の一例であるＩＨ炊飯器（電磁誘導加熱式炊飯器）では、誘導コイルの強磁界による外部への影響を防止する手段が採られる。即ち、強力な磁界によって生じるノイズにより、炊飯器の近傍に置かれた電気時計、ＣＤラジカセ等のオーディオ機器、或いは磁気カードといったものに悪影響の出るおそれがあるので、その磁界が炊飯器から外部に漏れない、又は漏れ難いようにする防磁手段を備えている。
【０００３】
その例として、特開２００１−２５４３６号公報にて示されたもののように、炊飯器の外ケース（本体容器）における皿状の底部分を、ステンレス鋼板を用いてプレス成形した金属製のものに構成する技術が知られている。即ち、誘導コイルが配置される炊飯器の下端部を金属板材にて形成することにより、磁界を内部に反射させて炊飯器外部に漏れ出ることを効果的に抑制させる手段である。
【０００４】
【発明が解決しようとする課題】
しかしながら、金属板材によって底部分を形成させる手段では、必要な強度を出すための板厚を設定すると、内側に防磁板（非磁性金属板）が配置された合成樹脂製のものよりも重量が重くなり、部分的に下方突出する脚部や換気ガラリ部等の必要となる形状が出し難いとともに、スプリングバックによって全体的な形状や寸法が安定し難い面もあり、改善の余地が残されているものであった。
【０００５】
又、一般に、金属材は合成樹脂材よりも熱伝導性に優れるので、誘導コイルによる熱が炊飯器外部に伝わらないように遮断するには、底部分と誘導コイルとの間隔を従来（合成樹脂製の底部分）よりも大にするとか、間に介装する断熱材を増大するといった対策が必要であり、前者のものでは炊飯器が大型化し、後者のものではコストアップする等、この点でも改善の余地があった。
【０００６】
本発明の目的は、誘導コイルの磁界が外部に伝わり難いように、本体容器の下部である底部分に金属板材を用いる構成を採りながら、成形困難で意図通りの形状が出し難い、重量増加する、或いはコストアップする等の種々の不利な点を改善することができる誘導加熱器の実現にある。
【０００７】
【課題を解決するための手段】
本願発明によれば、被加熱容器と、その下方側に配置される誘導コイルとを本体容器に収容してある誘導加熱器において、本体容器の底部分を、合成樹脂製の内側ケース部と、その外面側に重ねて配置される金属板製の外側ケース部とから成る複合材によって形成してあることを特徴とする。
【０００８】
本願発明によれば、本体容器における底部分を合成樹脂製の内側ケース部と、金属板製の外側ケース部とによる複合材としたので、金属製の外側ケース部の存在によって誘導コイルによる磁界が外部に漏れ出ることを有効に減衰又は防止でき、磁界が漏れることによる前述した悪影響（電気時計に誤差が生じる等）を軽減又は解消することができる。加えて、外側ケース部は容器としての外側に位置していて外から見えるから、合成樹脂材によるものに比べて新鮮な外観を呈することができるとともに、傷やシミが付き難くもなる。
【０００９】
底部分としての必要な強度を合成樹脂材と金属板材とで出すことになるので、金属板材単品で構成する場合に比べて、金属板材の厚みを明確に薄くすることができるので、合成樹脂材との合計重量、即ち容器本体を軽くすることが可能になる。そして、内側に比熱の小さい合成樹脂材が存在して熱の遮断効率が良いので、金属板材単品によって底部分を形成してある場合に比べて、底部分と誘導コイルとの間隔を狭くしての装置のコンパクト化や、底部分と誘導コイルとの間に介装される断熱材を少なくしてのコストダウンが可能になる。
【００１０】
又、金型成形に適した合成樹脂製の内側ケース部に金属板を重ねるものであるから、金属板の曲げ成形や金型成形によるスプリングバックを合成樹脂材の存在によって抑制でき、形状の安定化を図ることが可能になるとともに、合成樹脂材の複雑な形状部分では金属板材を省くといった処理を適宜に行うことにより、下方突出する脚部等の急変する形状部分を合成樹脂材のみで実現させるということが可能である。これは、金属板材単品による場合では実現困難な形状が設定できるようになる点で有利である。
【００１１】
本願発明によれば、外側ケース部を防磁性を有した金属板製にすることができる。
【００１２】
本願発明によれば、複合材の外面を覆う金属板が防磁性を有することで、前述した磁界の漏れ出し抑制作用が強化されて、殆ど磁界漏れ出しが無くなるので、ノイズによる悪影響を殆ど解消できるようになる。
【００１３】
本願発明によれば、外側ケース部の上端位置が、誘導コイル上端の高さ位置以上の高さとなるように、外側ケース部を本体容器における底部から上方に立ち上がった側壁部位に延設することができる。
【００１４】
本願発明によれば、誘導コイルの上端位置に匹敵する又はそれ以上の高さ迄、金属板製の外側ケース部を上方に立ち上げて延設すると、下方に向かう磁界だけでなく、横側方に向かう磁界も有効に減衰又は阻止することができ、磁界が漏れることによる悪影響の軽減作用を強化することができる。又、金属板の表面積が増すので、見た目のデザイン性や意匠感に変化を齎すことができるようになる。
【００１５】
請求項１の構成は、内側ケース部を、部分的に外側ケース部を越えて下方突出させることで本体容器載置用の脚部を形成してあることを特徴とするものである。
【００１６】
請求項１の構成によれば、金属板製の外側ケース部に孔を開けるとか切欠きを設ける等して、金属板材を越えて下方突出させることで、内側ケース部、即ち、合成樹脂材のみによる本体容器載置用の脚部を形成したものである。つまり、脚部等の急激に形状変化して、金属板の曲げ変形が追従できない箇所では、形状設定が自在な内側ケース部で賄うことにより、底部分における複雑な形状設定を実現可能とすることができる。
【００１７】
請求項２の構成は、請求項１の構成において、平面視において脚部に対応した上方部位には、誘導コイルが配置されていないことを特徴とするものである。
【００１８】
請求項２の構成によれば、金属板製の外側ケース部が省略される部位である脚部の上方には、誘導コイルが配置されていないから、合成樹脂材のみで成る脚部であるにも拘らずに、そこからの誘導コイルによる磁界の漏れ出しを抑制することができるようになる。
【００１９】
本願発明によれば、本体容器を、筒状の上部ケーシングと、略皿状の下部ケーシングとから構成するとともに、下部ケーシングを、その上端まで外側ケース部が延設された複合材として形成することができる。
【００２０】
本願発明によれば、下部ケーシングとしての上端迄金属板製の外側ケース部を延ばすことで、金型成形時に生じるバリが内側ケース部の上端に存在していても、その外側に配置される外側ケース部によってカムフラージュすることが可能になり、合成樹脂材と金属板材との剥がれ防止作用が改善されるとか、外観が良くなるといった作用を得ることができる。
【００２１】
【発明の実施の形態】
−第１実施形態−
図１に、誘導加熱器の一例としてＩＨ式の電気炊飯器が示されている。この電気炊飯器は、内鍋（被加熱容器の一例）５を着脱自在にセットする内ケース２と、これとの間に空間部３を形成する外ケース（上部ケーシングの一例）４、及び底ケース（底部分の一例であり、下部ケーシングの一例でもある）２０とを備えた二重構造の炊飯本体（本体容器の一例）１と、この炊飯本体１の上部開口を開閉自在な蓋体６とを備えて構成されている。
【００２２】
内ケース２の周囲には、この内ケース２を取り囲む環状の上及び下の誘導コイル７，８が配設されるとともに、その上方には保温用のヒータ１０が周設されている。機種によっては、上誘導コイル８と保温用ヒータ１０との上下間に補助誘導コイル９（破線にて示す）を装備するとともに、内鍋５の最上端部の外側位置に肩ヒータ（図示省略）を周設することもある。内ケース２の下端部の中心には、内鍋５の底面に接する状態に突設された温度検出センサー１１が装備され、炊飯本体１後部の空間部３には、コードリール１２が縦向きに配置されている。
【００２３】
炊飯本体１前部の空間部３には、その上部において傾斜配置されるマイコン用基盤１３、内ケース２に寄せて縦向き配置された制御用基盤１４、その前方側に配置されるパワー用基盤１５が配置されるとともに、マイコン用基盤１３の前方側には液晶表示ユニット１６や操作スイッチ１７を有した操作部１８が配置され手いる。尚、２７は、パワー用基盤１５等の冷却用として操作部１８の下方に装備された冷却ファンであり、１９は、外ケース４に枢支された取っ手である。
【００２４】
蓋体６は、ＰＰ（ポリプロピレン）等の合成樹脂材で成る蓋ケース２２と、蓋体６の下面を形成すべく実質的に蓋ケース２２にネジ止めされる板金等の熱良導体から成る放熱板２３と、蒸気逃し弁２５等を有して構成されており、後部に設けた支点軸２６を有したヒンジ部２１により、揺動開閉自在に炊飯本体１に枢支されている。尚、操作部１８の直上位置には、蓋体６を閉じロック自在なロック機構２４が装備されている。
【００２５】
図１、図２に示すように、底ケース２０は、前述のＰＰ材で成る本体ケース部（内側ケース部の一例）２８と、その外面側に貼着された防磁性の金属板材で成る外装カバー（外側ケース部の一例）２９とから構成されている。本体ケース部２８は、底部分２８ａと立上がり部分２８ｂとを有した略皿形状であり、薄膜状の外装カバー２９は、冷却ファン１９用の換気ガラリ部３０、中央の水抜き部３１、複数の脚部３２、コードリール１２部等を除いた部分、即ち、底部分２８ａにおける平面な部分、及び湾曲面である立上がり部分（側壁部位の一例）２８ｂに貼着によって積層されている。
【００２６】
尚、平面視において、脚部３２に対応した上方部位は、丁度上及び下の誘導コイル７，８の間に位置しており、上及び下の誘導コイル７，８は配置されていない状態に設定されている。これにより、外側に金属板の無い本体ケース部２８であっても、そこから誘導コイル７，８による磁界が漏れ出難いようにしてある。
【００２７】
外装カバー２９は、アルミ合金（防磁性を有した金属板の一例）で形成されており、その上端２９ａは、本体ケース部２８の上端、即ち外ケース４との繋ぎ目部分まで延ばされている。即ち、図２に示すように、外ケース４と底ケース２０との接続部は、外ケース４の下端部を、その肉厚の外側半分がカットされたような外段付き部４ａに形成するとともに、底ケース２０の上端部を、その肉厚の内側半分がカットされたような内段付き部２０ａに形成し、これら両者を重ね合わせて配置することで隙間が生じないように嵌合してある。
【００２８】
内段付き部２０ａは、本体ケース部２８の上端部の肉厚を半分以下に薄くすることで形成してあり、外装カバー２９の上端２９ａは底ケース２０としての上端まで延設されている。この外装カバー２９の上方延設構造により、金型成形に起因してＰＰ製の本体ケース部２８上端に存在する「バリ」をカムフラージュして目立ち難く又は見えないように処理されており、外観や品質の向上に寄与できている。
【００２９】
又、外ケース４の外段付き部４ａにおける外面は、外装カバー２９の上端２９ａよりも僅かに外方に張り出る位置関係に設定してあり、通常の視線（上方から炊飯器を斜め下方に見下ろす視線）では、金属板の端面である外装カバー２９の上端２９ａが見え難い又は見えないようにして、外観の向上に寄与できるように工夫してある。
【００３０】
図１に示すように、外装カバー２９の上端２９ａは、上誘導コイル８の上端と同じ高さレベルｈに設定されているので、上下の誘導コイル７，８に通電することによって生じる強磁界（ノイズ）が炊飯器外部へ波及することの防止作用が、炊飯器が置かれている面から上誘導コイル８上端の高さ範囲までカバーする比較的高い位置まで及ぶので、磁界による影響（例えば、炊飯器の傍においた電気時計に誤差が生じるとか、磁気カードがおかしくなる等）が先ず生じないようになる利点がある。又、上下の誘導コイル７，８によって本体ケース部２８が熱くなる影響を少なくして、外部への熱影響もより大きく減衰させる作用もある。
【００３１】
−第２実施形態−
この第２実施形態は、基本構成は第１実施形態のものと同じに付き、底ケース（底部分）２０についてのみ説明する。
図３〜図５に示すように、底ケース２０を、ＰＰ材による本体ケース部３３と、ステンレス薄板から成る外装カバー３４とをラミネート加工によって一体化した二重積層構造の複合材から構成しても良い。即ち、ステンレス薄板３４の片面にＰＰ材がラミネートされたプレス品を、底ケース用の金型（図示省略）にインサートして一体成形したものである。
【００３２】
つまり、金型による成形時にＰＰ材である本体ケース部３３が一旦溶けることによってステンレス薄板製の外装カバー３４と一体化されるのであり、接着剤等の手段を用いることなく２種の異なる薄板層をラミネートさせて複合材を形成してある。これにより、デザイン性や高級感のアップが期待できるとともに、底ケース２０としての強度アップ、並びにステンレス材による防磁機能を発揮できる利点がある。尚、本実施形態のものと同様に、外装ケース部３４は、冷却ファン１９用の換気ガラリ部３０、中央の水抜き部３１、複数の脚部３２、コードリール１２部等を除いた部分に設定されている。
【００３３】
外装ケース部３４を、ＳＵＳ３０４ステンレス材とした場合、プレス加工によって加工硬化が生じるので、プレス成形後の形状は、スプリングバックによって変形することが多い。湾曲形状である本体ケース部３３の外面に外装ケース部３４が位置しているので、立上がり部分３３ｂでは、スプリングバックにより、外装ケース部３４が本体ケース部３３から剥れようとする方向の残留応力がある。そこで、その対策としては、ＳＵＳ３０４ステンレス材を１０００℃で真空焼きなましすることにより、前述した残留応力を除去して剥れ難いようにすることが可能である。
【００３４】
〔別実施形態〕
《１》  合成樹脂製の内側ケース部２８と、金属板製の外側ケース部２９との一体化手段（積層手段）としては、前述した接着剤等による貼着や、ラミネート加工によるものの他、両面テープを用いるもの、ビスやスクリューを用いるもの等でも良い。
【００３５】
《２》  誘導加熱器としては、炊飯器の他、電気湯沸かし器（電気ポット）、コーヒーメーカー、電気鍋、ホットプレート等種々のものが考えられる。又、金属板材としては、防磁性（非磁性）の金属であれば、アルミ合金やステンレス以外のものでも良い。
【００３６】
《３》  第１実施形態による炊飯器において、防磁性金属製の外側ケース部２９を、外ケース４の下部の外面まで覆うように嵩上げして、磁界の漏れ出し抑制作用が上誘導コイル７の上方にまで及ぶようにしても良い。又、図２において、外装カバー２９の上端２９ａが、本体ケース部２８の上端よりも低く設定されたものでも良い。又、円形や三角形等、外装カバーを部分的に外方にプレスによって打ち出し、意匠感に変化が出るようにしたものでも良い。
【００３７】
【発明の効果】
以上説明したように、本願発明の誘導加熱器では、本体容器の底部分を、合成樹脂製の内側ケース部と、その外面側に重ねて配置される金属板製の外側ケース部とから成る複合材によって形成したので、次のような効果が得られた。
ｉ．誘導コイルによる磁界（ノイズ）の外部への漏れ出しによる悪影響（例えば炊飯器横に置いた電気時計が狂う）を軽減又は解消することができた。
ｉｉ．金属板である外側ケース部が複合材の外側に位置して見えることから、今までとは違った新鮮な外観を呈することができ、傷やシミが付き難くなる。
ｉｉｉ．薄い金属板と合成樹脂材と複合材で底部分を形成してあるので、金属板のみで形成する場合に比べて、トータルとしての重量を軽くすることができる。
ｉｖ．金属板材のみで底部分を形成する構造に比べて熱遮断性が優れるので、底部分と誘導コイルとの間隔を狭くしての装置のコンパクト化、或いは、底部分と誘導コイルとの間に介装される断熱材を少なくしてのコストダウンが得られる。
ｖ．金属板の曲げ成形や金型成形によるスプリングバックが、合成樹脂材の存在によって抑制されることによって底部分の形状安定化が図れるとともに、比較的複雑な形状も実現し易くなる利点がある。
【００３８】
本願発明によれば、前記効果を奏するとともに、ｖｉ．磁界の漏れ出し抑制作用が強化されて、磁界（ノイズ）による悪影響を殆ど解消できるようになる。
【００３９】
本願発明によれば、前記効果を奏するとともに、ｖｉｉ．下及び横に向かう磁界を有効に減衰又は阻止して、磁界（ノイズ）による悪影響をより軽減できるとともに、金属板の表面積が増すことにより、デザイン性や意匠感に変化を齎せられる利点がある。
【００４０】
請求項１に記載の誘導加熱器では、前記効果を奏するとともに、ｖｉｉｉ．金属板のみでは不可能となる複雑で形状が急変する脚部を、形状設定自由度の低い金属板製外側ケース部を部分的に省略する工夫により、形状設定自由度の高い合成樹脂製内側ケース部によって実現することができた。
【００４１】
請求項２に記載の誘導加熱器では、請求項１の構成による前記効果を奏するとともに、ｉｘ．金属板の無い脚部の上方には誘導コイルを配置しない工夫により、脚部からの磁界（ノイズ）の漏れ出しが効果的に抑制でき、全体として磁界の遮断効果の高いものにできた。
【００４２】
本願発明によると、前記効果を奏するとともに、ｘ．下部ケーシングの上端迄金属板が存在するので、型成形によって生じる内側ケース部上端のバリをカムフラージュすることができ、外観が改善できるとか、内外ケース部どうしの剥がれ防止作用が発揮されるといった効果を奏することができる。
【図面の簡単な説明】
【図１】炊飯器の構造を示す一部切欠きの側面図
【図２】底ケースの上端部分を示す拡大断面図
【図３】別構造の底ケースを有した炊飯器を示す一部切欠きの側面図
【図４】図３に示す炊飯器の概略の全体形状を示す側面図
【図５】図３に示す底ケースの構造を示す拡大断面図
【符号の説明】
１              本体容器
４              上部ケーシング
５              被加熱容器
７，８          誘導コイル
２０            底部分、部ケーシング
２８            内側ケース部
２８ｂ          側壁部位
２９            外側ケース部
３２            脚部
【図１】
0003738735.tif 000002
【図２】
0003738735.tif 000003
【図３】
0003738735.tif 000004
【図４】
0003738735.tif 000005
【図５】
0003738735.tif 000006